【手続補正書】
【提出日】平成15年10月27日(2003.10.27)
【手続補正１】
【補正対象書類名】明細書
【補正対象項目名】特許請求の範囲
【補正方法】変更
【補正の内容】
【特許請求の範囲】
【請求項１】
流動層反応炉において、流動層内にそれぞれ異なる流動化速度を与えるような散気装置を炉床部分に設け、
実質的に大きな流動化速度を与えられた流動部分では流動媒体の上昇流を生じさせ、実質的に小さな流動化速度を与えられた流動部分においては流動媒体の沈降流を生じさせ、
かつ実質的に小さな流動化速度を与えられた流動部分に板型の熱回収装置を板面が垂直になるように配置したことを特徴とする流動層反応装置。
【請求項２】
流動層反応炉において、流動層内にそれぞれ異なる流動化速度を与えるような散気装置を炉床部分に設け、
実質的に大きな流動化速度を与えられた流動部分では流動媒体の上昇流を生じさせ、実質的に小さな流動化速度を与えられた流動部分においては流動媒体の沈降流を生じさせ、
かつ流動媒体の上昇流の上部に流動媒体を反転させる傾斜壁を設けると共に、該傾斜壁の下端側には実質的に最も小さな流動化速度を与えられた流動媒体沈降流を挟んで、中位の流動化速度を与える流動部分を設けることにより、該流動部分には緩やかな上昇流を生じさせ、かつ該流動部分に板型の熱回収装置を板面が垂直になるように配置したことを特徴とする流動層反応装置。
【請求項３】
前記板型の熱回収装置は、系列の異なる伝熱管を同一平面内に配置し、かつ伝熱管同士は間に板を挟んで接続し、全体として１枚の板状伝熱面としたことを特徴とする請求項１又は２記載の流動層反応装置。
【請求項４】
流動層反応炉において、内部に仕切壁を設けて複数に分割し、かつそれぞれの流動層は仕切壁の上方及び下方で連通しており、かつそれぞれの流動層には、それぞれ異なる流動化速度を与えるように散気装置を炉床部分に設け、
実質的に大きな流動化速度を与えられた流動層と実質的に小さな流動化速度を与えられた流動層の間において、
実質的に大きな流動化速度を与えられた流動層では流動媒体が上昇し、仕切壁を越えて実質的に小さな流動化速度を与えられた流動層に入り、そこでは移動層を形成しつつ、ゆるやかに流動媒体が沈降し、そして仕切壁下の連絡口を通して実質的に大きな流動化速度を与えられた流動層に戻る相互の循環流を生じさせ、
沈降移動層を形成する流動層に板型の熱回収装置を配置したことを特徴とする流動層反応装置。
【請求項５】
前記板型の熱回収装置は、系列の異なる伝熱管を同一平面内に配置し、かつ伝熱管同士は間に板を挟んで接続し、全体として１枚の板状伝熱面としたことを特徴とする請求項４記載の流動層反応装置。
【請求項６】
前記仕切壁と板型の熱回収装置が結合し、一体化していることを特徴とする請求項４又は５記載の流動層反応装置。
【請求項７】
流動層反応炉において、流動層内にそれぞれ異なる流動化速度を与えるような散気装置を炉床部分に設け、
実質的に大きな流動化速度を与えられた流動部分では流動媒体の上昇流を生じさせ、実質的に小さな流動化速度を与えられた流動部分においては流動媒体の沈降流を生じさせ、
かつ流動媒体の上昇流の上部に流動媒体を反転させる傾斜壁を設けると共に、該傾斜壁の下端につながる炉壁部を板型の伝熱面で構成したことを特徴とする流動層反応装置。
【請求項８】
流動層反応炉の炉床部に、実質的に大きな流動化速度を与える散気装置を配置するとともに、
該散気装置を間に挟んで、実質的に小さな流動化速度を与える散気装置をそれぞれ相対するように配置し、
さらに一方の実質的に小さな流動化速度を与えられた流動部分に熱回収装置を配置するとともに、
実質的に大きな流動化速度を与えられた流動部分を間に挟んで相対する他方の実質的に小さな流動化速度を与えられた流動部分に燃料などの可燃物を投入するとともに、
実質的に大きな流動化速度を与える散気装置と、実質的に小さな流動化速度を与える散気装置の間に不燃物排出口を設けたことを特徴とする流動層反応装置。
【請求項９】
燃料などの可燃物を投入する実質的に小さな流動化速度を与えられた前記流動部分が還元雰囲気であり、実質的に大きな流動化速度を与えられた前記流動部分が酸化雰囲気であるように燃焼用流動化ガスに含まれる酸素量を調節することを特徴とする請求項８記載の流動層反応装置。
【請求項１０】
前記熱回収装置は、板型の熱回収装置であることを特徴とする請求項８又は９記載の流動層反応装置。
【請求項１１】
前記板型の熱回収装置は、系列の異なる伝熱管を同一平面内に配置し、かつ伝熱管同士は間に板を挟んで接続し、全体として１枚の板状伝熱面としたことを特徴とする請求項１０記載の流動層反応装置。
【請求項１２】
流動層反応炉において、
流動層内にそれぞれ異なる流動化速度を与える散気装置を炉底部分に設け、
弱散気板から層内に流動用空気を供給して該弱散気板の上方に弱流動化域を形成し、
強散気板から層内に流動用空気を供給して該強散気板の上方に強流動化域を形成し、
前記弱流動化域には、板型伝熱面からなる熱回収装置が板面が垂直になるように配置されていることを特徴とする流動層反応装置。
【手続補正２】
【補正対象書類名】明細書
【補正対象項目名】００１０
【補正方法】変更
【補正の内容】
【００１０】
【課題を解決するための手段】
本発明の第１の態様は、流動層反応炉において、流動層内にそれぞれ異なる流動化速度を与えるような散気装置を炉床部分に設け、実質的に大きな流動化速度を与えられた流動部分では流動媒体の上昇流を生じさせ、実質的に小さな流動化速度を与えられた流動部分においては流動媒体の沈降流を生じさせ、かつ実質的に小さな流動化速度を与えられた流動部分に板型の熱回収装置を板面が垂直になるように配置したことを特徴とするものである。
本発明の第２の態様は、流動層反応炉において、流動層内にそれぞれ異なる流動化速度を与えるような散気装置を炉床部分に設け、実質的に大きな流動化速度を与えられた流動部分では流動媒体の上昇流を生じさせ、実質的に小さな流動化速度を与えられた流動部分においては流動媒体の沈降流を生じさせ、かつ流動媒体の上昇流の上部に流動媒体を反転させる傾斜壁を設けると共に、該傾斜壁の下端側には実質的に最も小さな流動化速度を与えられた流動媒体沈降流を挟んで、中位の流動化速度を与える流動部分を設けることにより、該流動部分には緩やかな上昇流を生じさせ、かつ該流動部分に板型の熱回収装置を板面が垂直になるように配置したことを特徴とするものである。
本発明の第３の態様は、流動層反応炉において、内部に仕切壁を設けて複数に分割し、かつそれぞれの流動層は仕切壁の上方及び下方で連通しており、かつそれぞれの流動層には、それぞれ異なる流動化速度を与えるように散気装置を炉床部分に設け、実質的に大きな流動化速度を与えられた流動層と実質的に小さな流動化速度を与えられた流動層の間において、実質的に大きな流動化速度を与えられた流動層では流動媒体が上昇し、仕切壁を越えて実質的に小さな流動化速度を与えられた流動層に入り、そこでは移動層を形成しつつ、ゆるやかに流動媒体が沈降し、そして仕切壁下の連絡口を通して実質的に大きな流動化速度を与えられた流動層に戻る相互の循環流を生じさせ、沈降移動層を形成する流動層に板型の熱回収装置を配置したことを特徴とするものである。
本発明の第４の態様は、流動層反応炉において、流動層内にそれぞれ異なる流動化速度を与えるような散気装置を炉床部分に設け、実質的に大きな流動化速度を与えられた流動部分では流動媒体の上昇流を生じさせ、実質的に小さな流動化速度を与えられた流動部分においては流動媒体の沈降流を生じさせ、かつ流動媒体の上昇流の上部に流動媒体を反転させる傾斜壁を設けると共に、該傾斜壁の下端につながる炉壁部を板型の伝熱面で構成したことを特徴とするものである。
本発明の第５の態様は、流動層反応炉の炉床部に、実質的に大きな流動化速度を与える散気装置を配置するとともに、該散気装置を間に挟んで、実質的に小さな流動化速度を与える散気装置をそれぞれ相対するように配置し、さらに一方の実質的に小さな流動化速度を与えられた流動部分に熱回収装置を配置するとともに、実質的に大きな流動化速度を与えられた流動部分を間に挟んで相対する他方の実質的に小さな流動化速度を与えられた流動部分に燃料などの可燃物を投入するとともに、実質的に大きな流動化速度を与える散気装置と、実質的に小さな流動化速度を与える散気装置の間に不燃物排出口を設けたことを特徴とするものである。
本発明の第６の態様は、流動層反応炉において、流動層内にそれぞれ異なる流動化速度を与える散気装置を炉底部分に設け、弱散気板から層内に流動用空気を供給して該弱散気板の上方に弱流動化域を形成し、強散気板から層内に流動用空気を供給して該強散気板の上方に強流動化域を形成し、前記弱流動化域には、板型伝熱面からなる熱回収装置が板面が垂直になるように配置されていることを特徴とするものである。